(57)【要約】【課題】ＶｏＩＰ網に既設電話網の番号計画テーブルを設けることなく、既設電話網にもＶｏＩＰ網の番号計画テーブルを設ける必要をなくし、既設電話網とＶｏＩＰ網とが混在する専用電話網を容易に構築できる利便性の高い電話網システムを提供する。【解決手段】１台のゲートキーパ装置２をＶｏＩＰ網ＮＶ上に配置し、ＶｏＩＰ網ＮＶに接続される全ての拠点（Ａ１，Ａ２）からのダイヤル発信呼を接続経路情報に基づいて集中管理し、ＶｏＩＰ網から既設電話網への経路接続を実現する。【選択図】　図１
2004128663.tif 000002
【特許請求の範囲】
【請求項１】
ＶｏＩＰ網に接続された拠点から既設電話網に接続された拠点へ呼接続する電話網システムであって、
ゲートキーパ装置、既設電話網に接続された既設電話網接続ゲートウェイ、を備え、
前記ゲートキーパ装置は、接続経路情報に基づいて前記ＶｏＩＰ網に接続された前記拠点の電話機からダイヤル発信された局番のＩＰアドレスが検出できない場合、ダイヤル発信された前記拠点の発信グループを検索し、前記発信グループに属する仮想局番を検出して前記既設電話網接続ゲートウェイを特定し、ダイヤル発信呼を、検出した仮想局番の前記既設電話網接続ゲートウェイに着信させて透過し、前記既設電話網に接続する制御を行うことを特徴とする電話網システム。
【請求項２】
１台のゲートキーパ装置を前記ＶｏＩＰ網に配置して接続経路情報を集中管理するとともに、前記ＶｏＩＰ網に接続された各拠点に前記既設電話網接続ゲートウェイを配置したことを特徴とする請求項１記載の電話網システム。
【請求項３】
前記ＶｏＩＰ網に接続された各拠点に前記ゲートキーパ装置を配置して接続経路情報を分散管理するとともに、前記ＶｏＩＰ網に接続された各拠点に前記既設電話網接続ゲートウェイを配置したことを特徴とする請求項１記載の電話網システム。
【請求項４】
前記ＶｏＩＰ網に接続された各拠点に前記ゲートキーパ装置を配置して接続経路情報を分散管理するとともに、前記既設電話網接続ゲートウェイを前記ＶｏＩＰ網に接続された複数の拠点で共有することを特徴とする請求項１記載の電話網システム。
【請求項５】
ＶｏＩＰ網に接続された拠点の電話機から既設電話網に接続された拠点の電話機への呼接続を制御するゲートキーパ装置であって、
前記ＶｏＩＰ網に接続された拠点の電話機からダイヤル発信された局番のＩＰアドレスが検出できない場合、ダイヤル発信された前記拠点の発信グループを検索し、発信グループに属する仮想局番の既設電話網接続ゲートウェイを指定し、ダイヤル発信呼を仮想局番の既設電話網接続ゲートウェイを透過させて前記既設電話網に供給させる制御を行う接続経路管理手段を備えたことを特徴とするゲートキーパ装置。
【請求項６】
前記接続経路管理手段は、アドレス管理テーブル、発信グループリストおよび既設電話網接続ゲートウェイ・リストの接続経路情報を格納する記憶手段、前記記憶手段に格納された接続経路情報を解析し、既設電話網接続ゲートウェイの仮想局番を検出するデータ解析・検出手段、前記データ解析・検出手段が検出した仮想局番に基づいてダイヤル発信呼の接続経路を制御する経路制御手段、を備えたことを特徴とする請求項５記載のゲートキーパ装置。
【請求項７】
前記アドレス管理テーブルは、局番に対応したＩＰアドレスのデータで形成することを特徴とする請求項６記載のゲートキーパ装置。
【請求項８】
前記発信グループリストは、局番に対応した発信グループのデータで形成することを特徴する請求項６記載のゲートキーパ装置。
【請求項９】
前記既設電話網接続ゲートウェイ・リストは、発信グループに対応した既設電話網接続ゲートウェイの仮想局番のデータ形成することを特徴する請求項６記載のゲートキーパ装置。
【請求項１０】
ＶｏＩＰ網に接続された拠点の電話機から既設電話網に接続された拠点の電話機へ呼接続するゲートキーパ装置の呼接続方法であって、
発信要求を受信するステップＳ１と、
アドレス管理テーブルから局番を検索するステップＳ２と、
該当する局番の有無を判定するステップＳ３と、
発信グループリストから発信グループを検出するステップＳ４と、
既設電話網接続ゲートウェイ・リストから仮想局番を特定するステップＳ５と、
仮想局番の既設電話網接続ゲートウェイに接続するステップＳ６と、
ダイヤル発信呼を既設電話網接続ゲートウェイが受信して透過するステップＳ７と、
を備えたことを特徴とするゲートキーパ装置の呼接続方法。
【請求項１１】
ステップＳ３とステップＳ４間に、
他のゲートキーパ装置に局番を問い合わせるサブステップＳＵＢ１と、
該当する局番の有無を判定するサブステップＳＵＢ２と、
を備えたことを特徴とする請求項１０記載のゲートキーパ装置の呼接続方法。
【請求項１２】
ステップＳ６およびステップＳ７に代えて、
仮想局番の共有既設電話網接続ゲートウェイに接続するサブステップＳＵＢ３と、
ダイヤル発信呼を既設電話網接続ゲートウェイが受信して透過するサブステップＳＵＢ４と、
を備えたことを特徴とする請求項１０または請求項１１記載のゲートキーパ装置の呼接続方法。
【発明の詳細な説明】
【０００１】
【発明の属する技術分野】
本発明はＶｏＩＰ網から既存電話網への呼接続を可能にする電話網システムに係り、特にゲートキーパ装置を用いてＶｏＩＰ網および既存電話網の接続経路データ（ＩＰアドレス、局番、電話番号等）の変更や追加をすることなくＶｏＩＰ網から既存電話網へ呼接続ができる電話網システムに関する。
【０００２】
【従来の技術】
従来の技術は、「特許文献１」に開示されているように、ＩＰ網−公衆網連携電話サービスを利用する端末から直接、或いは、他のサーバを介して、サービス制御ゲートウェイ装置経由でサービス制御装置にアクセスすることにより、ＩＰ網を利用するユーザに対しても、公衆電話網で提供されている様々なサービス（例えば、フリーフォン）を提供するものである。
【０００３】
また、「特許文献１」に開示された従来の技術は、サーバ内のＩＰアドレス−電話番号対応情報で変換できない情報を他の高性能なサーバへのマルチキャスト問合せにより得る方式の採用により、低性能なサーバでも持続性の高いＩＰ電話を実現するものである。
【０００４】
【特許文献１】
特開２０００−２８６８７９号公報
【０００５】
【発明が解決しようとする課題】
最近、企業の本社、支社または支店などの相互間を結ぶ専用回線網は、ＶｏＩＰ網に置き換わっていく傾向にあるが、ＶｏＩＰ網への移行過程においては、ＶｏＩＰ網と既設電話網とが混在している状況にある。
【０００６】
そこで、ＶｏＩＰ網に接続された音声端末（電話機）から既設電話網に接続された音声端末への呼接続をどのような接続方式で実現するかが問われることになる。
【０００７】
ＶｏＩＰ網から既設電話網への呼接続は、ゲートウェイを介して接続するのが一般的であり、呼接続の経路選択テーブルをゲートキーパに持たせ、経路選択テーブルに従ってゲートウェイを選択することによってなされる。
【０００８】
「特許文献１」の従来の技術は、ＩＰ網−公衆網連携しているが、ＶｏＩＰ網から既存電話網へ呼接続するような場合には、既設電話網側にＶｏＩＰ網の番号計画テーブルを設けるとともに、ＶｏＩＰ網側に既設電話網の番号計画テーブルを設ける必要があり、ＶｏＩＰ網側および既設電話網の双方に、接続される全ての音声端末（電話機）の番号計画テーブルを設けるためには膨大な工数と時間を費やし、また作業が煩雑になる課題がある。
【０００９】
この発明はこのような課題を解決するためになされたもので、その目的はＶｏＩＰ網に既設電話網の番号計画テーブルを設けることなく、既設電話網にもＶｏＩＰ網の番号計画テーブルを設ける必要をなくし、既設電話網とＶｏＩＰ網とが混在する専用電話網を容易に構築できる利便性の高い電話網システムを提供することにある。
【００１０】
【課題を解決するための手段】
前記課題を解決するためこの発明に係る電話網システムは、ＶｏＩＰ網に接続された拠点から既設電話網に接続された拠点へ呼接続するシステムであって、ゲートキーパ装置、既設電話網に接続された既設電話網接続ゲートウェイ、を備え、ゲートキーパ装置は、接続経路情報に基づいてＶｏＩＰ網に接続された拠点の電話機からダイヤル発信された局番のＩＰアドレスが検出できない場合、ダイヤル発信された拠点の発信グループを検索し、発信グループに属する仮想局番を検出して既設電話網接続ゲートウェイを特定し、ダイヤル発信呼を、検出した仮想局番の既設電話網接続ゲートウェイに着信させて透過し、既設電話網に接続する制御を行うことを特徴とする。
【００１１】
この発明に係る電話網システムは、ＶｏＩＰ網に接続された拠点から既設電話網に接続された拠点へ呼接続するシステムであって、ゲートキーパ装置、既設電話網に接続された既設電話網接続ゲートウェイ、を備え、ゲートキーパ装置は、接続経路情報に基づいてＶｏＩＰ網に接続された拠点の電話機からダイヤル発信された局番のＩＰアドレスが検出できない場合、ダイヤル発信された拠点の発信グループを検索し、発信グループに属する仮想局番を検出して既設電話網接続ゲートウェイを特定し、ダイヤル発信呼を、検出した仮想局番の既設電話網接続ゲートウェイに着信させて透過し、既設電話網に接続する制御を行うので、ＶｏＩＰ網に接続された拠点を発信グループとして番号を付与し、各発信グループから既存電話網に接続される既存電話網接続ゲートウェイに仮想番号を付与することにより、発信グループ番号と仮想番号を対応付けた接続経路情報を準備するだけで、ＶｏＩＰ網から既存電話網への接続経路を設定することができ、既設電話網とＶｏＩＰ網とが混在する専用電話網を容易に構築可能とし、利便性の向上を図ることができる。
【００１２】
また、この発明に係る電話網システムは、１台のゲートキーパ装置をＶｏＩＰ網に配置して接続経路情報を集中管理するとともに、ＶｏＩＰ網に接続された各拠点に既設電話網接続ゲートウェイを配置したことを特徴とする。
【００１３】
この発明に係る電話網システムは、１台のゲートキーパ装置をＶｏＩＰ網に配置して接続経路情報を集中管理するとともに、ＶｏＩＰ網に接続された各拠点に既設電話網接続ゲートウェイを配置したので、集中管理した接続経路情報に基づいてＶｏＩＰ網に接続された拠点と既設電話網に接続された拠点とを既設電話網接続ゲートウェイを介して接続経路を設定することができ、既設電話網とＶｏＩＰ網とが混在する専用電話網を容易に構築可能とし、利便性の向上を図ることができる。
【００１４】
さらに、この発明に係る電話網システムは、ＶｏＩＰ網に接続された各拠点にゲートキーパ装置を配置して接続経路情報を分散管理するとともに、ＶｏＩＰ網に接続された各拠点に既設電話網接続ゲートウェイを配置したことを特徴とする。
【００１５】
この発明に係る電話網システムは、ＶｏＩＰ網に接続された各拠点にゲートキーパ装置を配置して接続経路情報を分散管理するとともに、ＶｏＩＰ網に接続された各拠点に既設電話網接続ゲートウェイを配置したので、分散管理した接続経路情報に基づいてＶｏＩＰ網に接続された拠点と既設電話網に接続された拠点とを既設電話網接続ゲートウェイを介して接続経路を設定することができ、既設電話網とＶｏＩＰ網とが混在する専用電話網を容易に構築可能とし、利便性の向上を図ることができる。
【００１６】
また、この発明に係る電話網システムは、ＶｏＩＰ網に接続された各拠点にゲートキーパ装置を配置して接続経路情報を分散管理するとともに、既設電話網接続ゲートウェイをＶｏＩＰ網に接続された複数の拠点で共有することを特徴とする。
【００１７】
この発明に係る電話網システムは、ＶｏＩＰ網に接続された各拠点にゲートキーパ装置を配置して接続経路情報を分散管理するとともに、既設電話網接続ゲートウェイをＶｏＩＰ網に接続された複数の拠点で共有するので、分散管理した接続経路情報に基づいてＶｏＩＰ網に接続された拠点と既設電話網に接続された拠点とを共有した既設電話網接続ゲートウェイを介して接続経路を設定することができ、少ない既設電話網接続ゲートウェイを用いて既設電話網とＶｏＩＰ網とが混在する専用電話網を容易に構築可能とし、利便性の向上を図ることができる。
【００１８】
さらに、この発明に係るゲートキーパ装置は、ＶｏＩＰ網に接続された拠点の電話機から既設電話網に接続された拠点の電話機への呼接続を制御する装置であって、ＶｏＩＰ網に接続された拠点の電話機からダイヤル発信された局番のＩＰアドレスが検出できない場合、ダイヤル発信された拠点の発信グループを検索し、発信グループに属する仮想局番の既設電話網接続ゲートウェイを指定し、ダイヤル発信呼を仮想局番の既設電話網接続ゲートウェイを透過させて既設電話網に供給させる制御を行う接続経路管理手段を備えたことを特徴とする。
【００１９】
この発明に係るゲートキーパ装置は、ＶｏＩＰ網に接続された拠点の電話機からダイヤル発信された局番のＩＰアドレスが検出できない場合、ダイヤル発信された拠点の発信グループを検索し、発信グループに属する仮想局番の既設電話網接続ゲートウェイを指定し、ダイヤル発信呼を仮想局番の既設電話網接続ゲートウェイを透過させて既設電話網に供給させる制御を行う接続経路管理手段を備えたので、ＶｏＩＰ網に接続された拠点を発信グループとして番号を付与し、各発信グループから既存電話網に接続される既存電話網接続ゲートウェイに仮想番号を付与することにより、発信グループ番号と仮想番号を対応付けた接続経路情報を準備するだけで、ＶｏＩＰ網から既存電話網への接続経路を設定することができ、利便性の向上を図るとともに、ＶｏＩＰ網および既存電話網の拡張性を高めることができる。
【００２０】
また、この発明に係る接続経路管理手段は、アドレス管理テーブル、発信グループリストおよび既設電話網接続ゲートウェイ・リストの接続経路情報を格納する記憶手段、記憶手段に格納された接続経路情報を解析し、既設電話網接続ゲートウェイの仮想局番を検出するデータ解析・検出手段、データ解析・検出手段が検出した仮想局番に基づいてダイヤル発信呼の接続経路を制御する経路制御手段を備えたことを特徴とする。
【００２１】
この発明に係る接続経路管理手段は、アドレス管理テーブル、発信グループリストおよび既設電話網接続ゲートウェイ・リストの接続経路情報を格納する記憶手段、記憶手段に格納された接続経路情報を解析し、既設電話網接続ゲートウェイの仮想局番を検出するデータ解析・検出手段、データ解析・検出手段が検出した仮想局番に基づいてダイヤル発信呼の接続経路を制御する経路制御手段を備えたので、アドレス管理テーブル、発信グループリストおよび既設電話網接続ゲートウェイ・リストの接続経路情報に基づいて既設電話網に接続された既設電話網接続ゲートウェイを特定し、既設電話網接続ゲートウェイを介してＶｏＩＰ網と既設電話網の接続経路を設定することができる。
【００２２】
さらに、この発明に係るアドレス管理テーブルは、局番に対応したＩＰアドレスのデータで形成することを特徴とする。
【００２３】
また、この発明に係る発信グループリストは、局番に対応した発信グループのデータで形成することを特徴する。
【００２４】
さらに、この発明に係る既設電話網接続ゲートウェイ・リストは、発信グループに対応した既設電話網接続ゲートウェイの仮想局番のデータ形成することを特徴する。
【００２５】
この発明に係る接続経路情報は、局番に対応したＩＰアドレスのデータで形成するアドレス管理テーブル、局番に対応した発信グループのデータで形成する発信グループリストおよび発信グループに対応した既設電話網接続ゲートウェイの仮想局番のデータ形成する既設電話網接続ゲートウェイ・リストで構成されるので、アドレス管理テーブルからダイヤル発信呼の局番の有無を判定し、該当する局番が存在しない場合には、発信グループリストを検索して発信側の局番から発信グループを認識し、認識した発信グループに基づいて既設電話網接続ゲートウェイ・リストを検索し、仮想局番を選択して既設電話網に接続された既設電話網接続ゲートウェイを特定することができ、単純な接続経路情報だけでＶｏＩＰ網から既設電話網の接続経路を設定することができる。
【００２６】
また、この発明に係るゲートキーパ装置の呼接続方法は、ＶｏＩＰ網に接続された拠点の電話機から既設電話網に接続された拠点の電話機へ呼接続する呼接続方法であって、発信要求を受信するステップＳ１と、アドレス管理テーブルから局番を検索するステップＳ２と、該当する局番の有無を判定するステップＳ３と、発信グループリストから発信グループを検出するステップＳ４と、既設電話網接続ゲートウェイ・リストから仮想局番を特定するステップＳ５と、仮想局番の既設電話網接続ゲートウェイに接続するステップＳ６と、ダイヤル発信呼を既設電話網接続ゲートウェイが受信して透過するステップＳ７とを備えたことを特徴とする。
【００２７】
この発明に係るゲートキーパ装置の呼接続方法は、発信要求を受信するステップＳ１と、アドレス管理テーブルから局番を検索するステップＳ２と、該当する局番の有無を判定するステップＳ３と、発信グループリストから発信グループを検出するステップＳ４と、既設電話網接続ゲートウェイ・リストから仮想局番を特定するステップＳ５と、仮想局番の既設電話網接続ゲートウェイに接続するステップＳ６と、ダイヤル発信呼を既設電話網接続ゲートウェイが受信して透過するステップＳ７とを備えたので、アドレス管理テーブル、発信グループリストおよび既設電話網接続ゲートウェイ・リストから既存電話網に接続する既設電話網接続ゲートウェイを特定し、ダイヤル発信呼を既設電話網接続ゲートウェイを介して既設電話網に送信することができ、ＶｏＩＰ網に既設電話網の番号計画テーブルを設けることなく、既設電話網にもＶｏＩＰ網の番号計画テーブルを設ける必要をなくし、単純な構成で既設電話網とＶｏＩＰ網とが混在する専用電話網を容易に構築可能とし、利便性の向上を図ることができる。
【００２８】
この発明に係るゲートキーパ装置の呼接続方法は、ステップＳ３とステップＳ４間に、他のゲートキーパ装置に局番を問い合わせるサブステップＳＵＢ１と、該当する局番の有無を判定するサブステップＳＵＢ２とを備えたことを特徴とする。
【００２９】
この発明に係るゲートキーパ装置の呼接続方法は、ステップＳ３とステップＳ４間に、他のゲートキーパ装置に局番を問い合わせるサブステップＳＵＢ１と、該当する局番の有無を判定するサブステップＳＵＢ２とを備えたので、自拠点のゲートキーパ装置に局番に対応するＩＰアドレスが存在しない場合には、他の拠点のゲートキーパ装置に局番に対応するＩＰアドレスの有無を問い合わせることができ、ゲートキーパ装置の負荷を分散して軽減することができる。
【００３０】
この発明に係るゲートキーパ装置の呼接続方法は、ステップＳ６およびステップＳ７に代えて、仮想局番の共有既設電話網接続ゲートウェイに接続するサブステップＳＵＢ３と、ダイヤル発信呼を既設電話網接続ゲートウェイが受信して透過するサブステップＳＵＢ４とを備えたことを特徴とする。
【００３１】
この発明に係るゲートキーパ装置の呼接続方法は、ステップＳ６およびステップＳ７に代えて、仮想局番の共有既設電話網接続ゲートウェイに接続するサブステップＳＵＢ３と、ダイヤル発信呼を共有既設電話網接続ゲートウェイが受信して透過するサブステップＳＵＢ４とを備えたので、既設電話網接続ゲートウェイを削減して構成の単純化を図ることができる。
【００３２】
【発明の実施の形態】
以下、この発明の実施の形態を添付図面に基づいて説明する。図１はこの発明に係る電話網システムの一実施の形態構成図である。図１において、電話網システム１は、例えば企業の本社、支社および支店などの拠点（Ａ１，Ａ２，Ａ３）に設置された内線設備と、内線設備相互間を結ぶ専用線電話網（ＮＶ，ＮＴ）とから構成する。なお、図１の電話網システム１は、１台のゲートキーパ装置２をＶｏＩＰ網ＮＶ上に配置し、ＶｏＩＰ網ＮＶに接続される全ての拠点（Ａ１，Ａ２）の接続経路情報を集中管理するものである。
【００３３】
拠点Ａ１の内線設備は、構内交換機ＰＢＸ−１、電話機ＴＥＬ１１，ＴＥＬ１２、ＶｏＩＰゲートウェイＧＷ１、ルータＲ１、既設電話網接続ゲートウェイ４、網接続アダプタＡＰ１で構成し、構内交換機ＰＢＸ−１には、電話機ＴＥＬ１１，ＴＥＬ１２およびＶｏＩＰゲートウェイＧＷ１が収容され、ランＬＡＮ−１には、ＶｏＩＰゲートウェイＧＷ１、ルータＲ１および既設電話網接続ゲートウェイ４が接続される。また、ルータＲ１は、ＶｏＩＰ網ＮＶに接続され、網接続アダプタＡＰ１は、例えばＮＴＴ殿が提供する音声ＶＰＮ（Ｖｉｒｔｕａｌ　Ｐｒｉｖａｔｅ　Ｎｅｔｗｏｒｋ）網ＮＴに接続される。
【００３４】
なお、電話機ＴＥＬ１１，ＴＥＬ１２は、２台で示したが、３台以上であってもよく、既設電話網接続ゲートウェイ４および網接続アダプタＡＰ１を各１台で示したがおのおの２台以上で構成してもよい。
【００３５】
拠点Ａ２の内線設備は、拠点Ａ１と同様に、構内交換機ＰＢＸ−２、電話機ＴＥＬ２１，ＴＥＬ２２、ＶｏＩＰゲートウェイＧＷ２、ルータＲ２、既設電話網接続ゲートウェイ５、網接続アダプタＡＰ２で構成し、構内交換機ＰＢＸ−２には、電話機ＴＥＬ２１，ＴＥＬ２２およびＶｏＩＰゲートウェイＧＷ２が収容され、ランＬＡＮ−２には、ＶｏＩＰゲートウェイＧＷ２、ルータＲ２および既設電話網接続ゲートウェイ５が接続される。また、ルータＲ２は、ＶｏＩＰ網ＮＶに接続され、網接続アダプタＡＰ２は、音声ＶＰＮ（Ｖｉｒｔｕａｌ　Ｐｒｉｖａｔｅ　Ｎｅｔｗｏｒｋ）網ＮＴに接続される。
【００３６】
拠点Ａ３の内線設備は、構内交換機ＰＢＸ−３、電話機ＴＥ１，ＴＥ２、網接続アダプタＡＰ３で構成し、網接続アダプタＡＰ３を介して音声ＶＰＮ網ＮＴに接続される。
【００３７】
拠点Ａ１，Ａ２，Ａ３には、それぞれ局番（１００番代，２００番代，７００番）が付与され、既設電話網接続ゲートウェイ４，５には、それぞれ仮想局番３００番，４００番が付与される。電話機ＴＥＬ１１〜電話機ＴＥＬ２２、電話機ＴＥ１，２には、それぞれ内線番号が付与される。また、電話機ＴＥＬ１１〜電話機ＴＥＬ２２、ＶｏＩＰゲートウェイＧＷ１，ＧＷ２および既設電話網接続ゲートウェイ４，５には、ＩＰアドレスが付与される。
【００３８】
ゲートキーパ装置２は、発呼側の電話機（例えば、電話機ＴＥＬ１１）からダイヤル発信された発呼要求（ダイヤル発信呼に相当）に基づいて接続経路情報を検索し、ＶｏＩＰ網ＮＶを介して被呼側の電話機（例えば、電話機ＴＥＬ２１）に接続する制御を行う接続経路管理手段３を備える。
【００３９】
また、接続経路管理手段３は、発呼側の電話機（例えば、電話機ＴＥＬ１１）からダイヤル発信された発呼要求に基づいて接続経路情報を検索し、ＶｏＩＰ網ＮＶから既設電話網（音声ＶＰＮ網ＮＴ）を介して被呼側の電話機（例えば、電話機ＴＥ１）に接続する制御を実行する。
【００４０】
ゲートキーパ装置２は、ＶｏＩＰ網ＮＶに接続された拠点（例えば、拠点Ａ１）の電話機（例えば、電話機ＴＥＬ１１）からＶｏＩＰ網ＮＶに接続された拠点（例えば、拠点Ａ２）の電話機（例えば、電話機ＴＥＬ２１）にダイヤル発信した場合、接続経路情報に基づいて発呼要求に含まれる相手側の局番（局番２００番）のＩＰアドレスを検索し、検出したＩＰアドレスの拠点Ａ２のＶｏＩＰゲートウェイＧＷ２と接続し、ＶｏＩＰゲートウェイＧＷ２から構内交換機ＰＢＸ−２を介して電話機ＴＥＬ２１を呼出し、、電話機ＴＥＬ２１が応答することによってＶｏＩＰ網ＮＶを介して電話機ＴＥＬ１１と電話機ＴＥＬ２１との通話を成立させる。
【００４１】
また、ゲートキーパ装置２は、ＶｏＩＰ網ＮＶに接続された拠点（例えば、拠点Ａ１）の電話機（例えば、電話機ＴＥＬ１１）から音声ＶＰＮ網ＮＴに接続された拠点（例えば、拠点Ａ３）の電話機（例えば、電話機ＴＥ１）にダイヤル発信した場合、接続経路情報に基づいて発呼要求に含まれる相手側の局番（局番７００番）のＩＰアドレスを検索し、局番７００番のＩＰアドレスが検出できない場合には、ダイヤル発信された拠点Ａ１の発信グループを検索し、発信グループ（拠点Ａ１）に属する仮想局番（仮想局番３００番）を検出して既設電話網接続ゲートウェイ４を特定し、ダイヤル発信呼を、検出した仮想局番３００番の既設電話網接続ゲートウェイ４に着信させて透過し、既設電話網（音声ＶＰＮ網ＮＴ）に接続する制御を行い、音声ＶＰＮ網ＮＴを介して局番７００番（拠点Ａ３）の構内交換機ＰＢＸ−３から電話機ＴＥ１を呼出し、、電話機ＴＥ１が応答することによってＶｏＩＰ網ＮＶから音声ＶＰＮ網ＮＴへの接続を行い、電話機ＴＥＬ１１と電話機ＴＥ１との通話を成立させる。なお、発信グループとは、ＶｏＩＰ網ＮＶに接続された拠点Ａ１（グループＧ１）および拠点Ａ２（グループＧ２）を表わす。
【００４２】
一方、拠点Ａ２の電話機（例えば、電話機ＴＥＬ２２）から拠点Ａ１の電話機（例えば、電話機ＴＥＬ１２）へのダイヤル発信、または拠点Ａ２の電話機（例えば、電話機ＴＥＬ２２）から拠点Ａ３の電話機ＴＥ２へのダイヤル発信の場合にもゲートキーパ装置２で同様に制御する。
【００４３】
既設電話網接続ゲートウェイ４，５は、網接続アダプタＡＰ１，ＡＰ２を介して音声ＶＰＮ網ＮＴと接続し、ゲートキーパ装置２から特定された仮想番号（３００番，４００番）で拠点（Ａ１，Ａ２）からダイヤル発信された音声ＶＰＮ網ＮＴに接続された拠点Ａ３の局番（７００番）を有するダイヤル発信呼を受信し、受信したダイヤル発信呼を透過して網接続アダプタＡＰ１，ＡＰ２を介して音声ＶＰＮ網ＮＴに送出する。
【００４４】
このように、この発明に係る電話網システム１は、接続経路情報に基づいてＶｏＩＰ網ＮＶに接続された拠点の電話機（ＴＥＬ１１〜ＴＥＬ２２）からダイヤル発信された局番のＩＰアドレスが検出できない場合、ダイヤル発信された拠点（Ａ１，Ａ２）の発信グループを検索し、発信グループに属する仮想局番（３００番，４００番）を検出して既設電話網接続ゲートウェイ４，５を特定し、ダイヤル発信呼を、検出した仮想局番（３００番，４００番）の既設電話網接続ゲートウェイ４，５に着信させて透過し、既設電話網（音声ＶＰＮ網ＮＴ）に接続する制御を行うので、ＶｏＩＰ網ＮＶに接続された拠点（Ａ１，Ａ２）を発信グループとして番号を付与し、各発信グループから既存電話網（音声ＶＰＮ網ＮＴ）に接続される既存電話網接続ゲートウェイ４，５に仮想番号（３００番，４００番）を付与することにより、発信グループ番号と仮想番号を対応付けた接続経路情報を準備するだけで、ＶｏＩＰ網ＮＶから既存電話網（音声ＶＰＮ網ＮＴ）への接続経路を設定することができ、既設電話網（音声ＶＰＮ網ＮＴ）とＶｏＩＰ網ＮＶとが混在する専用電話網を容易に構築可能とし、利便性の向上を図ることができる。
【００４５】
また、この発明に係る電話網システム１は、１台のゲートキーパ装置２をＶｏＩＰ網ＮＶに配置して接続経路情報を集中管理するとともに、ＶｏＩＰ網ＮＶに接続された各拠点（Ａ１，Ａ２）に既設電話網接続ゲートウェイ４，５を配置したので、集中管理した接続経路情報に基づいてＶｏＩＰ網ＮＶに接続された拠点（Ａ１，Ａ２）と既設電話網（音声ＶＰＮ網ＮＴ）に接続された拠点（Ａ３）とを既設電話網接続ゲートウェイ４，５を介して接続経路を設定することができ、既設電話網（音声ＶＰＮ網ＮＴ）とＶｏＩＰ網ＮＶとが混在する専用電話網を容易に構築可能とし、利便性の向上を図ることができる。
【００４６】
図２はこの発明に係る電話網システムの別実施の形態構成図である。図２において、電話網システム１１は、１台のゲートキーパ装置２をＶｏＩＰ網ＮＶ上に配置する代わりに、ＶｏＩＰ網ＮＶに接続された拠点Ａ１および拠点Ａ２にそれぞれゲートキーパ装置２ａ、ゲートキーパ装置２ｂを配置した点が図１と異なる。
【００４７】
ゲートキーパ装置２ａ、ゲートキーパ装置２ｂは、接続経路を設定する接続経路情報を分散して管理する接続経路管理手段３を備え、拠点Ａ１（例えば、電話機ＴＥＬ１１）からダイヤル発信呼が発生した場合、ゲートキーパ装置２ａの接続経路情報から発呼要求に含まれる相手側の局番（例えば、局番２００番）のＩＰアドレスを検索し、該当するＩＰアドレスが検出できない場合には、拠点Ａ２のゲートキーパ装置２ｂにアドレス解決要求を提供し、相手側の局番（例えば、局番２００番）のＩＰアドレスを検索する。
【００４８】
ゲートキーパ装置２ｂで相手側の局番（例えば、局番２００番）のＩＰアドレスを検出すると、拠点Ａ１のＶｏＩＰゲートウェイＧＷ１をＶｏＩＰ網ＮＶを介して拠点Ａ２のＶｏＩＰゲートウェイＧＷ２と接続し、ＶｏＩＰゲートウェイＧＷ２から構内交換機ＰＢＸ−２を介して電話機（例えば、電話機ＴＥＬ２１）を呼出し、、電話機ＴＥＬ２１が応答することによってＶｏＩＰ網ＮＶを介して電話機ＴＥＬ１１と電話機ＴＥＬ２１との通話を成立させる。
【００４９】
一方、拠点Ａ１（例えば、電話機ＴＥＬ１１）から局番７００番のダイヤル発信呼が発生した場合、ゲートキーパ装置２ａの接続経路情報から発呼要求に含まれる相手側の局番７００番のＩＰアドレスを検索し、該当するＩＰアドレスが検出できない場合には、拠点Ａ２のゲートキーパ装置２ｂにアドレス解決要求を提供し、相手側の局番（例えば、局番７００番）のＩＰアドレスを検索する。
【００５０】
ゲートキーパ装置２ｂで局番７００番のＩＰアドレスが検出できない場合、ゲートキーパ装置２ｂからゲートキーパ装置２ａにアドレス解決不可を送信する。
【００５１】
アドレス解決不可を受信したゲートキーパ装置２ａは、接続経路情報に基づいてダイヤル発信された拠点Ａ１の発信グループ（拠点Ａ１）を検索し、発信グループ（拠点Ａ１）に属する仮想局番（仮想局番３００番）を検出して既設電話網接続ゲートウェイ４を特定し、ダイヤル発信呼を、検出した仮想局番３００番の既設電話網接続ゲートウェイ４に着信させて透過し、既設電話網（音声ＶＰＮ網ＮＴ）に接続する制御を行い、音声ＶＰＮ網ＮＴを介して局番７００番（拠点Ａ３）の構内交換機ＰＢＸ−３から電話機（例えば、電話機ＴＥ１）を呼出し、電話機ＴＥ１が応答することによってＶｏＩＰ網ＮＶから音声ＶＰＮ網ＮＴへの接続を行い、電話機ＴＥＬ１１と電話機ＴＥ１との通話を成立させる。
【００５２】
このように、この発明に係る電話網システム１１は、ＶｏＩＰ網ＮＶに接続された各拠点（Ａ１，Ａ２）にゲートキーパ装置２ａ，２ｂを配置して接続経路情報を分散管理するとともに、ＶｏＩＰ網に接続された各拠点（Ａ１，Ａ２）に既設電話網接続ゲートウェイ４，５を配置したので、分散管理した接続経路情報に基づいてＶｏＩＰ網ＮＶに接続された拠点（Ａ１，Ａ２）と既設電話網（音声ＶＰＮ網ＮＴ）に接続された拠点（Ａ３）とを既設電話網接続ゲートウェイ４，５を介して接続経路を設定することができ、既設電話網（音声ＶＰＮ網ＮＴ）とＶｏＩＰ網ＮＶとが混在する専用電話網を容易に構築可能とし、利便性の向上を図ることができる。
【００５３】
図３はこの発明に係る電話網システムの別実施の形態構成図である。図３において、電話網システム１２は、拠点Ａ２に配置した既設電話網接続ゲートウェイ５を削除し，拠点Ａ１の既設電話網接続ゲートウェイ４と共用した点が図２と異なる。
【００５４】
拠点Ａ２（例えば、電話機ＴＥＬ２２）から局番７００番のダイヤル発信呼が発生した場合、ゲートキーパ装置２ｂの接続経路情報から発呼要求に含まれる相手側の局番７００番のＩＰアドレスを検索し、該当するＩＰアドレスが検出できない場合には、拠点Ａ１のゲートキーパ装置２ａにアドレス解決要求を提供し、相手側の局番７００番のＩＰアドレスを検索する。
【００５５】
ゲートキーパ装置２ａで局番７００番のＩＰアドレスが検出できない場合、ゲートキーパ装置２ａからゲートキーパ装置２ｂにアドレス解決不可を送信する。
【００５６】
アドレス解決不可を受信したゲートキーパ装置２ｂは、接続経路情報に基づいてダイヤル発信された拠点Ａ１の発信グループ（拠点Ａ１）を検索し、発信グループ（拠点Ａ１）に属する仮想局番（仮想局番３００番）を検出して既設電話網接続ゲートウェイ４を特定し、ゲートキーパ装置２ａに既設電話網接続ゲートウェイ４に接続する接続要求を送信する。
【００５７】
接続要求を受信したゲートキーパ装置２ａは、ダイヤル発信呼を接続要求のあった仮想局番３００番の既設電話網接続ゲートウェイ４に着信させて透過し、既設電話網（音声ＶＰＮ網ＮＴ）に接続する制御を行い、音声ＶＰＮ網ＮＴを介して局番７００番（拠点Ａ３）の構内交換機ＰＢＸ−３から電話機（例えば、電話機ＴＥ１）を呼出し、電話機ＴＥ１が応答することによってＶｏＩＰ網ＮＶから音声ＶＰＮ網ＮＴへの接続を行い、電話機ＴＥＬ２２と電話機ＴＥ１との通話を成立させる。
【００５８】
このように、この発明に係る電話網システム１２は、ＶｏＩＰ網ＮＶに接続された各拠点（Ａ１，Ａ２）にゲートキーパ装置２ａ，２ｂを配置して接続経路情報を分散管理するとともに、既設電話網接続ゲートウェイ４をＶｏＩＰ網ＮＶに接続された複数の拠点（Ａ１，Ａ２）で共有するので、分散管理した接続経路情報に基づいてＶｏＩＰ網ＮＶに接続された拠点（Ａ１，Ａ２）と既設電話網（音声ＶＰＮ網ＮＴ）に接続された拠点（Ａ３）とを共有した既設電話網接続ゲートウェイ４を介して接続経路を設定することができ、少ない既設電話網接続ゲートウェイ４を用いて既設電話網（音声ＶＰＮ網ＮＴ）とＶｏＩＰ網ＮＶとが混在する専用電話網を容易に構築可能とし、利便性の向上を図ることができる。
【００５９】
なお、本実施の形態では、ＶｏＩＰ網ＮＶに接続される拠点をＡ１，Ａ２の２拠点、既存電話網（音声ＶＰＮ網ＮＴ）に接続される拠点をＡ３の１拠点で説明したが、ＶｏＩＰ網ＮＶに接続される拠点は、３拠点以上でもよく、音声ＶＰＮ網ＮＴに接続される拠点は、２拠点以上でもよい。
【００６０】
次に、この発明に係るゲートキーパ装置について説明する。ゲートキーパ装置２は、ＶｏＩＰ網ＮＶに接続された拠点Ａ１，Ａ２の電話機ＴＥＬ１１〜ＴＥＬ２２から既設電話網（音声ＶＰＮ網ＮＴ）に接続された拠点Ａ３の電話機ＴＥ１，ＴＥ２への呼接続を制御するものであり、ＶｏＩＰ網ＮＶに接続された拠点Ａ１，Ａ２の電話機ＴＥＬ１１〜ＴＥＬ２２からダイヤル発信された局番のＩＰアドレスが検出できない場合、ダイヤル発信された拠点の発信グループを検索し、発信グループに属する仮想局番の既設電話網接続ゲートウェイ４，５を指定し、ダイヤル発信呼を仮想局番の既設電話網接続ゲートウェイ４，５を透過させて既設電話網（音声ＶＰＮ網ＮＴ）に供給させる制御を行う接続経路管理手段３を備える。
【００６１】
図４はこの発明に係るゲートキーパ装置の接続経路管理手段の一実施の形態要部ブロック構成図である。図４において、接続経路管理手段３はインタフェース手段６、経路制御手段７、記憶手段８、データ解析・検出手段９を備える。
【００６２】
インタフェース手段６は、ＶｏＩＰ網ＮＶまたは拠点Ａ１，Ａ２のＬＡＮ−１，ＬＡＮ−２に接続して電話機ＴＥＬ１１〜ＴＥＬ２２からの局番や電話番号のＩＰパケットを受信し、経路制御手段７に供給するとともに、経路制御手段７から供給される局番に対応したＩＰアドレス、仮想局番をＶｏＩＰ網ＮＶまたは拠点Ａ１，Ａ２のＬＡＮ−１，ＬＡＮ−２に送出する。
【００６３】
経路制御手段７は、インタフェース手段６から供給される局番や電話番号のＩＰパケットをデータ解析・検出手段９に供給し、記憶手段８から読み出したアドレス管理テーブルＤａを参照してデータ解析・検出手段９が解析し、局番に対応したＩＰアドレスを検出する制御を実行する。
【００６４】
また、経路制御手段７は、インタフェース手段６から供給される局番や電話番号のＩＰパケットをデータ解析・検出手段９に供給し、記憶手段８から読み出したアドレス管理テーブルＤａ、発信グループリストＤｈおよび既設電話網接続ゲートウェイ・リストＤｇを参照してデータ解析・検出手段９が解析し、局番に対応した既設電話網接続ゲートウェイ４，５の仮想局番（３００番，４００番）を検出する制御を実行する。
【００６５】
さらに、経路制御手段７は、データ解析・検出手段９が検出した局番に対応したＩＰアドレスまたは既設電話網接続ゲートウェイ４，５の仮想局番（３００番，４００番）に基づいてダイヤル発信呼の接続経路を制御する。
【００６６】
また、経路制御手段７は、局番や電話番号のＩＰパケットをデータ解析・検出手段９に供給し、記憶手段８から読み出したアドレス管理テーブルＤａを参照してデータ解析・検出手段９が解析し、局番に対応したＩＰアドレスを検出できない場合、他の拠点に配置されたゲートキーパ装置にアドレス解決要求を送信し、他の拠点に配置されたゲートキーパ装置の経路制御手段７で局番に対応したＩＰアドレスを解析し、検出する制御を行う。
【００６７】
記憶手段８は、ＲＯＭやＲＡＭ等のメモリで構成し、接続経路情報を形成するアドレス管理テーブルＤａ、発信グループリストＤｈおよび既設電話網接続ゲートウェイ・リストＤｇを格納する。
【００６８】
図５はこの発明に係る接続経路情報の一実施の形態イメージ図である。図５において、接続経路情報は、（ａ）図のアドレス管理テーブルＤａ、（ｂ）図の発信グループリストＤｈ、（ｃ）図の既設電話網接続ゲートウェイ・リストＤｇを備える。
【００６９】
アドレス管理テーブルＤａは、局番ＮＡに対応したＩＰアドレスＡＤで形成する。発信グループリストＤｈは、局番ＮＡに対応する発信グループＧＨ（拠点Ａ１，Ａ２に対応したグループＧ１，Ｇ２）で形成する。既設電話網接続ゲートウェイ・リストＤｇは、発信グループＧＨに対応した仮想局番ＮＡおよびゾーンＺＮで形成する。なお、ゾーンＺＮとは、ダイヤル発信する拠点に該当する仮想局番ＮＡが存在するか否かを表わし、図３に示す拠点Ａ２から局番７００番にダイヤル発信した場合、音声ＶＰＮ網ＮＴに接続する仮想番号ＮＡ（３００番）の既設電話網接続ゲートウェイ４が拠点Ａ１にある（共有されている）場合には、「他ゾーン」となる。
【００７０】
図５の接続経路情報を用いた拠点Ａ１（局番２００番）から拠点Ａ３（局番７００番）へのダイヤル発信について説明する（図１参照）。拠点Ａ１から局番７００番のダイヤル発信がなされと、アドレス管理テーブルＤａを用いて局番７００番のＩＰアドレスがあるか否かを検索する。
【００７１】
アドレス管理テーブルＤａには、局番７００番に対応したＩＰアドレスが存在しないため、次に発信グループリストＤｈを用いて拠点Ａ１の局番１００番に対応した発信グループ１を検出する。
【００７２】
続いて、既設電話網接続ゲートウェイ・リストＤｇを用いて発信グループ１に対応した仮想局番３００番を特定し、仮想局番３００番の既設電話網接続ゲートウェイ４に拠点Ａ３（局番７００番）へのダイヤル発信呼を供給する。
【００７３】
拠点Ａ３（局番７００番）へのダイヤル発信呼を受信した既設電話網接続ゲートウェイ４は、ダイヤル発信呼を透過して音声ＶＰＮ網ＮＴに送出することにより、ＶｏＩＰ網ＮＶから既設電話網（音声ＶＰＮ網ＮＴ）への接続経路を設定することができる。
【００７４】
このように、この発明に係るゲートキーパ装置２は、ＶｏＩＰ網ＮＶに接続された拠点Ａ１，Ａ２の電話機ＴＥＬ１１〜ＴＥＬ２２からダイヤル発信された局番（７００番）のＩＰアドレスが検出できない場合、ダイヤル発信された拠点Ａ１，Ａ２の発信グループを検索し、発信グループに属する仮想局番（３００番）の既設電話網接続ゲートウェイ４を指定し、ダイヤル発信呼を仮想局番（７００番）の既設電話網接続ゲートウェイ４を透過させて既設電話網（音声ＶＰＮ網ＮＴ）に供給させる制御を行う接続経路管理手段３を備えたので、ＶｏＩＰ網ＮＶに接続された拠点Ａ１を発信グループとして番号（１）を付与し、各発信グループから既存電話網（音声ＶＰＮ網ＮＴ）に接続される既存電話網接続ゲートウェイ４に仮想番号（３００番）を付与することにより、発信グループ番号（１）と仮想番号（３００番）を対応付けた接続経路情報を準備するだけで、ＶｏＩＰ網ＮＶから既存電話網（音声ＶＰＮ網ＮＴ）への接続経路を設定することができ、利便性の向上を図るとともに、ＶｏＩＰ網および既存電話網の拡張性を高めることができる。
【００７５】
また、この発明に係る接続経路管理手段３は、アドレス管理テーブルＤａ、発信グループリストＤｈおよび既設電話網接続ゲートウェイ・リストＤｇの接続経路情報を格納する記憶手段８、記憶手段８に格納された接続経路情報を解析し、既設電話網接続ゲートウェイの仮想局番を検出するデータ解析・検出手段９、データ解析・検出手段９が検出した仮想局番に基づいてダイヤル発信呼の接続経路を制御する経路制御手段７を備えたので、アドレス管理テーブルＤａ、発信グループリストＤｈおよび既設電話網接続ゲートウェイ・リストＤｇの接続経路情報に基づいて既設電話網（音声ＶＰＮ網ＮＴ）に接続された既設電話網接続ゲートウェイを特定し、既設電話網接続ゲートウェイを介してＶｏＩＰ網と既設電話網の接続経路を設定することができる。
【００７６】
さらに、この発明に係る接続経路情報は、局番ＮＡに対応したＩＰアドレスＡＤのデータで形成するアドレス管理テーブルＤａ、局番ＮＡに対応した発信グループＧＨのデータで形成する発信グループリストＤｈおよび発信グループＧＨに対応した既設電話網接続ゲートウェイの仮想局番ＮＡのデータ形成する既設電話網接続ゲートウェイ・リストＤｇで構成されるので、アドレス管理テーブルＤａからダイヤル発信呼の局番の有無を判定し、該当する局番が存在しない場合には、発信グループリストＤｈを検索して発信側の局番から発信グループを認識し、認識した発信グループに基づいて既設電話網接続ゲートウェイ・リストＤｇを検索し、仮想局番を選択して既設電話網に接続された既設電話網接続ゲートウェイを特定することができ、単純な接続経路情報だけでＶｏＩＰ網から既設電話網の接続経路を設定することができる。
【００７７】
続いて、この発明に係るゲートキーパ装置の呼接続方法について説明する。図６はこの発明に係るゲートキーパ装置の呼接続方法の一実施の形態要部動作フロー図である。なお、動作フローは図４を参照し、図１に対応する。
【００７８】
図６において、ステップＳ１では、発信要求を受信する。なお、ステップＳ１の動作は、インタフェース手段６が実行する。ステップＳ２では、アドレス管理テーブルから局番を検索する。なお、ステップＳ２の動作は、経路制御手段７、記憶手段８およびデータ解析・検出手段９が実行する。
【００７９】
ステップＳ３では、該当する局番の有無を判定し、該当する局番がある場合にはステップＳ８に移行してＶｏＩＰ網内接続処理を実行する。一方、該当する局番がない場合にはステップＳ４に移行する。なお、ステップＳ３の動作は、経路制御手段７が実行する。
【００８０】
ステップＳ４では、発信グループリストから発信グループを検出する。なお、ステップＳ４の動作は、経路制御手段７、記憶手段８およびデータ解析・検出手段９が実行する。
【００８１】
ステップＳ５では、既設電話網接続ゲートウェイ・リストから仮想局番を特定する。なお、ステップＳ５の動作は、経路制御手段７、記憶手段８およびデータ解析・検出手段９が実行する。
【００８２】
ステップＳ６では、仮想局番の既設電話網接続ゲートウェイに接続する。なお、ステップＳ６の動作は、経路制御手段７が実行する。
【００８３】
ステップＳ７では、ダイヤル発信呼を既設電話網接続ゲートウェイが受信して透過する。なお、ステップＳ７の動作は、経路制御手段７および既設電話網接続ゲートウェイ４，５が実行する。
【００８４】
このように、この発明に係るゲートキーパ装置の呼接続方法は、発信要求を受信するステップＳ１と、アドレス管理テーブルから局番を検索するステップＳ２と、該当する局番の有無を判定するステップＳ３と、発信グループリストから発信グループを検出するステップＳ４と、既設電話網接続ゲートウェイ・リストから仮想局番を特定するステップＳ５と、仮想局番の既設電話網接続ゲートウェイに接続するステップＳ６と、ダイヤル発信呼を既設電話網接続ゲートウェイが受信して透過するステップＳ７とを備えたので、アドレス管理テーブル、発信グループリストおよび既設電話網接続ゲートウェイ・リストから既存電話網に接続する既設電話網接続ゲートウェイを特定し、ダイヤル発信呼を既設電話網接続ゲートウェイを介して既設電話網に送信することができ、ＶｏＩＰ網に既設電話網の番号計画テーブルを設けることなく、既設電話網にもＶｏＩＰ網の番号計画テーブルを設ける必要をなくし、単純な構成で既設電話網とＶｏＩＰ網とが混在する専用電話網を容易に構築可能とし、利便性の向上を図ることができる。
【００８５】
図７はこの発明に係るゲートキーパ装置の呼接続方法の別実施の形態部分動作フロー図である。なお、動作フローは図４を参照し、図２に対応する。
【００８６】
図７において、図６に示すステップＳ３とステップＳ４の間に、サブステップＳＵＢ１およびサブステップＳＵＢ２を備える。サブステップＳＵＢ１では、他のゲートキーパ装置に局番を問い合わせる。なお、サブステップＳＵＢ１の動作は、ゲートキーパ装置２ａおよびゲートキーパ装置２ｂが実行する。
【００８７】
サブステップＳＵＢ２では、該当する局番の有無を判定し、該当する局番がある場合にはステップＳ８に移行してＶｏＩＰ網内接続処理を実行する。一方、該当する局番がない場合にはステップＳ４に移行する。なお、サブステップＳＵＢ２の動作は、ゲートキーパ装置２ａおよびゲートキーパ装置２ｂが実行する。
【００８８】
このように、この発明に係るゲートキーパ装置の呼接続方法は、ステップＳ３とステップＳ４間に、他のゲートキーパ装置に局番を問い合わせるサブステップＳＵＢ１と、該当する局番の有無を判定するサブステップＳＵＢ２とを備えたので、自拠点のゲートキーパ装置に局番に対応するＩＰアドレスが存在しない場合には、他の拠点のゲートキーパ装置に局番に対応するＩＰアドレスの有無を問い合わせることができ、ゲートキーパ装置の負荷を分散して軽減することができる。
【００８９】
図８はこの発明に係るゲートキーパ装置の呼接続方法の別実施の形態部分動作フロー図である。なお、動作フローは図４を参照し、図３に対応する。
【００９０】
図８において、図６のステップＳ６およびステップＳ７に代えて、サブステップＳＵＢ３とサブステップＳＵＢ３を備える。サブステップＳＵＢ３では、仮想局番の共有既設電話網接続ゲートウェイに接続する。なお、サブステップＳＵＢ３の動作は、ゲートキーパ装置２ａまたはゲートキーパ装置２ｂが実行する。
【００９１】
サブステップＳＵＢ４では、ダイヤル発信呼を共有既設電話網接続ゲートウェイが受信して透過する。なお、サブステップＳＵＢ４の動作は、共有既設電話網接続ゲートウェイが実行する。
【００９２】
このように、この発明に係るゲートキーパ装置の呼接続方法は、ステップＳ６およびステップＳ７に代えて、仮想局番の共有既設電話網接続ゲートウェイに接続するサブステップＳＵＢ３と、ダイヤル発信呼を共有既設電話網接続ゲートウェイが受信して透過するサブステップＳＵＢ４とを備えたので、既設電話網接続ゲートウェイを削減して構成の単純化を図ることができる。
【００９３】
【発明の効果】
以上説明したように、この発明に係る電話網システムは、ＶｏＩＰ網に接続された拠点から既設電話網に接続された拠点へ呼接続するシステムであって、ゲートキーパ装置、既設電話網に接続された既設電話網接続ゲートウェイ、を備え、ゲートキーパ装置は、接続経路情報に基づいてＶｏＩＰ網に接続された拠点の電話機からダイヤル発信された局番のＩＰアドレスが検出できない場合、ダイヤル発信された拠点の発信グループを検索し、発信グループに属する仮想局番を検出して既設電話網接続ゲートウェイを特定し、ダイヤル発信呼を、検出した仮想局番の既設電話網接続ゲートウェイに着信させて透過し、既設電話網に接続する制御を行うので、ＶｏＩＰ網に接続された拠点を発信グループとして番号を付与し、各発信グループから既存電話網に接続される既存電話網接続ゲートウェイに仮想番号を付与することにより、発信グループ番号と仮想番号を対応付けた接続経路情報を準備するだけで、ＶｏＩＰ網から既存電話網への接続経路を設定することができ、既設電話網とＶｏＩＰ網とが混在する専用電話網を容易に構築可能とし、利便性の向上を図ることができる。
【００９４】
また、この発明に係る電話網システムは、１台のゲートキーパ装置をＶｏＩＰ網に配置して接続経路情報を集中管理するとともに、ＶｏＩＰ網に接続された各拠点に既設電話網接続ゲートウェイを配置したので、集中管理した接続経路情報に基づいてＶｏＩＰ網に接続された拠点と既設電話網に接続された拠点とを既設電話網接続ゲートウェイを介して接続経路を設定することができ、既設電話網とＶｏＩＰ網とが混在する専用電話網を容易に構築可能とし、利便性の向上を図ることができる。
【００９５】
さらに、この発明に係る電話網システムは、ＶｏＩＰ網に接続された各拠点にゲートキーパ装置を配置して接続経路情報を分散管理するとともに、ＶｏＩＰ網に接続された各拠点に既設電話網接続ゲートウェイを配置したので、分散管理した接続経路情報に基づいてＶｏＩＰ網に接続された拠点と既設電話網に接続された拠点とを既設電話網接続ゲートウェイを介して接続経路を設定することができ、既設電話網とＶｏＩＰ網とが混在する専用電話網を容易に構築可能とし、利便性の向上を図ることができる。
【００９６】
また、この発明に係る電話網システムは、ＶｏＩＰ網に接続された各拠点にゲートキーパ装置を配置して接続経路情報を分散管理するとともに、既設電話網接続ゲートウェイをＶｏＩＰ網に接続された複数の拠点で共有するので、分散管理した接続経路情報に基づいてＶｏＩＰ網に接続された拠点と既設電話網に接続された拠点とを共有した既設電話網接続ゲートウェイを介して接続経路を設定することができ、少ない既設電話網接続ゲートウェイを用いて既設電話網とＶｏＩＰ網とが混在する専用電話網を容易に構築可能とし、利便性の向上を図ることができる。
【００９７】
さらに、この発明に係るゲートキーパ装置は、ＶｏＩＰ網に接続された拠点の電話機からダイヤル発信された局番のＩＰアドレスが検出できない場合、ダイヤル発信された拠点の発信グループを検索し、発信グループに属する仮想局番の既設電話網接続ゲートウェイを指定し、ダイヤル発信呼を仮想局番の既設電話網接続ゲートウェイを透過させて既設電話網に供給させる制御を行う接続経路管理手段を備えたので、ＶｏＩＰ網に接続された拠点を発信グループとして番号を付与し、各発信グループから既存電話網に接続される既存電話網接続ゲートウェイに仮想番号を付与することにより、発信グループ番号と仮想番号を対応付けた接続経路情報を準備するだけで、ＶｏＩＰ網から既存電話網への接続経路を設定することができ、利便性の向上を図るとともに、ＶｏＩＰ網および既存電話網の拡張性を高めることができる。
【００９８】
また、この発明に係る接続経路管理手段は、アドレス管理テーブル、発信グループリストおよび既設電話網接続ゲートウェイ・リストの接続経路情報を格納する記憶手段、記憶手段に格納された接続経路情報を解析し、既設電話網接続ゲートウェイの仮想局番を検出するデータ解析・検出手段、データ解析・検出手段が検出した仮想局番に基づいてダイヤル発信呼の接続経路を制御する経路制御手段を備えたので、アドレス管理テーブル、発信グループリストおよび既設電話網接続ゲートウェイ・リストの接続経路情報に基づいて既設電話網に接続された既設電話網接続ゲートウェイを特定し、既設電話網接続ゲートウェイを介してＶｏＩＰ網と既設電話網の接続経路を設定することができる。
【００９９】
さらに、この発明に係る接続経路情報は、局番に対応したＩＰアドレスのデータで形成するアドレス管理テーブル、局番に対応した発信グループのデータで形成する発信グループリストおよび発信グループに対応した既設電話網接続ゲートウェイの仮想局番のデータ形成する既設電話網接続ゲートウェイ・リストで構成されるので、アドレス管理テーブルからダイヤル発信呼の局番の有無を判定し、該当する局番が存在しない場合には、発信グループリストを検索して発信側の局番から発信グループを認識し、認識した発信グループに基づいて既設電話網接続ゲートウェイ・リストを検索し、仮想局番を選択して既設電話網に接続された既設電話網接続ゲートウェイを特定することができ、単純な接続経路情報だけでＶｏＩＰ網から既設電話網の接続経路を設定することができる。
【０１００】
また、この発明に係るゲートキーパ装置の呼接続方法は、発信要求を受信するステップ（Ｓ１）と、アドレス管理テーブルから局番を検索するステップ（Ｓ２）と、該当する局番の有無を判定するステップ（Ｓ３）と、発信グループリストから発信グループを検出するステップ（Ｓ４）と、既設電話網接続ゲートウェイ・リストから仮想局番を特定するステップ（Ｓ５）と、仮想局番の既設電話網接続ゲートウェイに接続するステップ（Ｓ６）と、ダイヤル発信呼を既設電話網接続ゲートウェイが受信して透過するステップ（Ｓ７）とを備えたので、アドレス管理テーブル、発信グループリストおよび既設電話網接続ゲートウェイ・リストから既存電話網に接続する既設電話網接続ゲートウェイを特定し、ダイヤル発信呼を既設電話網接続ゲートウェイを介して既設電話網に送信することができ、ＶｏＩＰ網に既設電話網の番号計画テーブルを設けることなく、既設電話網にもＶｏＩＰ網の番号計画テーブルを設ける必要をなくし、単純な構成で既設電話網とＶｏＩＰ網とが混在する専用電話網を容易に構築可能とし、利便性の向上を図ることができる。
【０１０１】
さらに、この発明に係るゲートキーパ装置の呼接続方法は、ステップＳ３とステップＳ４間に、他のゲートキーパ装置に局番を問い合わせるサブステップＳＵＢ１と、該当する局番の有無を判定するサブステップＳＵＢ２とを備えたので、自拠点のゲートキーパ装置に局番に対応するＩＰアドレスが存在しない場合には、他の拠点のゲートキーパ装置に局番に対応するＩＰアドレスの有無を問い合わせることができ、ゲートキーパ装置の負荷を分散して軽減することができる。
【０１０２】
また、この発明に係るゲートキーパ装置の呼接続方法は、ステップＳ６およびステップＳ７に代えて、仮想局番の共有既設電話網接続ゲートウェイに接続するサブステップＳＵＢ３と、ダイヤル発信呼を共有既設電話網接続ゲートウェイが受信して透過するサブステップＳＵＢ４とを備えたので、既設電話網接続ゲートウェイを削減して構成の単純化を図ることができる。
【図面の簡単な説明】
【図１】この発明に係る電話網システムの一実施の形態構成図
【図２】この発明に係る電話網システムの別実施の形態構成図
【図３】この発明に係る電話網システムの別実施の形態構成図
【図４】この発明に係るゲートキーパ装置の接続経路管理手段の一実施の形態要部ブロック構成図
【図５】この発明に係る接続経路情報の一実施の形態イメージ図
【図６】この発明に係るゲートキーパ装置の呼接続方法の一実施の形態要部動作フロー図
【図７】この発明に係るゲートキーパ装置の呼接続方法の別実施の形態部分動作フロー図
【図８】この発明に係るゲートキーパ装置の呼接続方法の別実施の形態部分動作フロー図
【符号の説明】
１，１１，１２　電話網システム
２，２ａ，２ｂ　ゲートキーパ装置
３　接続経路管理手段
４，５　既設電話網接続ゲートウェイ
６　インタフェース手段
７　経路制御手段
８　記憶手段
９　データ解析・検出手段
ＡＰ１〜ＡＰ３　網接続アダプタ
ＰＢＸ−１〜ＰＢＸ−３　構内交換機
ＴＥＬ１１〜ＴＥＬ２２，ＴＥ１，ＴＥ２　電話機
ＧＷ１，ＧＷ２　ＶｏＩＰゲートウェイ
Ｒ１，Ｒ２　ルータ
ＬＡＮ−１，ＬＡＮ−２　ラン
ＮＶ　ＶｏＩＰ網
ＮＴ　音声ＶＰＮ網（既設電話網）
Ｄａ　アドレス管理テーブル
Ｄｈ　発信グループリスト
Ｄｇ　既設電話網接続ゲートウェイ・リスト
【図１】
2004128663.tif 000003
【図２】
2004128663.tif 000004
【図３】
2004128663.tif 000005
【図４】
2004128663.tif 000006
【図５】
2004128663.tif 000007
【図６】
2004128663.tif 000008
【図７】
2004128663.tif 000009
【図８】
2004128663.tif 000010